(57)【要約】【課題】羽根部材の枚数を増やすことなく、開放した開口状態から任意の開口状態までの範囲で、その開口形状を真円形に近い形状にする。【解決手段】複数の羽根部材を有し、前記複数の羽根部材を回動させて光束を通過させる開口の大きさを変化させる光量調節装置において、複数の羽根部材の、前記開口の形成に関与する円弧状の内縁部は、羽根部材の回動軸に近い根元内縁部１ａ、前記回転軸から遠い先端内縁部１ｂ、両者の中間にある中間内縁部１ｃ、先端内縁部から絞り開口の形成に関与しない内縁部へ接続される先端境界内縁部１ｅ、および、根元内縁部から絞り開口の形成に関与しない内縁部へ接続される根元境界内縁部１ｄにより形成されている。【選択図】図２
2007304419.tif 000002
【特許請求の範囲】
【請求項１】
複数の羽根部材を有し、前記複数の羽根部材を回動させて光束を通過させる開口の大きさを変化させる光量調節装置において、
前記複数の羽根部材の、前記開口の形成に関与する円弧状の内縁部は、前記羽根部材の回動軸に近い根元内縁部、前記回転軸から遠い先端内縁部、両者の中間にある中間内縁部、前記先端内縁部から絞り開口の形成に関与しない内縁部へ接続される先端境界内縁部、および、前記根元内縁部から絞り開口の形成に関与しない内縁部へ接続される根元境界内縁部により形成されたことを特徴とする光量調節装置。
【請求項２】
前記開口の形状は開放から小絞りに至るまで前記中間内縁部を含む形成縁で形成され、前記中間内縁部から前記先端境界内縁部へ向かう弧状線分群は、前記中間内縁部円弧半径の曲率以上の線分群で構成され、前記中間内縁部から根元境界内縁部へ向かう弧状線分群は、前記中間内縁部円弧半径の曲率以上の線分群で構成され、
開放付近から小絞りに向かって前記開口が変化する際、前記開口の形成に関与する内縁部は、順次前記５つの内縁部全体から範囲を狭めながら前記先端内縁部側より前記根元内縁部側へ変化することを特徴とする請求項1に記載の光量調節装置。
【請求項３】
前記中間内縁部を除く他の各内縁部は、前記先端内縁部から前記先端境界内縁部へ、前記根元内縁部から前記根元境界内縁部へ、それぞれ前記中間内縁部から離れるに従って前記中間内縁部の円弧半径より大きくなる円弧半径を有していることを特徴とする請求項１または２に記載の光量調節装置。
【請求項４】
請求項１ないし３の何れかに記載の光量調節装置を具備することを特徴とするレンズ装置。
【請求項５】
請求項１ないし３のいずれかに記載の光量調節装置を具備することを特徴とする撮像装置。
【発明の詳細な説明】
【技術分野】
【０００１】
本発明は、絞り装置等の光量調節装置、この種の光量調節装置を具備するレンズ装置および撮像装置に関するものである。
【背景技術】
【０００２】
隣接するもの同士が互いに光軸に沿った方向で重なる状態で光軸の周りに並置して絞り開口を形成する複数の絞り羽根のそれぞれを、それら並置方向の一端側を支点として光軸に対する遠近方向に揺動自在に設けられた絞り装置が知られている。この種の絞り装置の第１従来例を簡単に説明する。各絞り羽根の絞り開口形成用内縁のうち、光軸から最も離間した開放絞り姿勢において絞り開口を形成する内縁部分のそれぞれを、開放絞り姿勢において光軸を中心とする設定半径の円周に沿う円弧に形成している。
【０００３】
詳しくは、図１２に示すように、絞り羽根１１の絞り開口形成に寄与する内縁部のうち、開放絞り状態において絞り開口を形成する根元内縁部１１ａを、開放絞り状態における開口を真円とする半径Ｒ０の円周と同じ半径Ｒ０の円弧にしている。そして、中間絞り状態において絞り開口を形成する絞り羽根１１の先端内縁部１１ｂを、回転軸側の根元内縁部１１ａの接線に沿った直線としたものであった。
【０００４】
また、特許文献１に開示された第２従来例の絞り装置を、図１３を用いて説明する。絞り羽根１２は開放絞り円形開口を形成する円弧形状の根元内縁部１２ａと、開放絞り開口から絞った円形開口を形成する円弧形状の先端内縁部１２ｂを有する。さらには、根元内縁部１２ａと先端内縁部１２ｂとを滑らかにつなぐ中間内縁部１２ｃを有する。中間内縁部１２ｃは絞り開口形成用内縁の外側に中心が位置する円弧形状に形成されている。中間内縁部１２ｃで形成される開放絞り円形開口と先端内縁部１２ｂで形成される円形開口との間で絞り動作を行った場合に形成される中間絞り開口は、根元内縁部１２ａの一部と先端内縁部１２ｂの一部と中間内縁部分１２ｃとで略円形に形成される。
【０００５】
また、特許文献２に開示された第３従来例の絞り装置を、図１４を用いて説明する。絞り羽根１３の絞り開口の形成に関与する内縁部は該絞り羽根１３の回動の回転軸に近い根元内縁部１３ａ、遠い先端内縁部１３ｂ及び両者の中間にある中間内縁部１３ｃの３部分から構成される。根元内縁部１３ａは、開放状態よりわずかに絞り込んだ一の絞り状態における当該絞り開口の半径を有する円弧、先端内縁部１３ｂは絞り込み状態より絞り込んだ状態の一の絞り状態において絞り開口が疑似真円形の一部となるように設定された複数の線により形成される。中間内縁部１３ｃは根元内縁部１３ａと先端内縁部１３ｂとを結ぶ平滑な線によって形成されている。絞り開口が、開放状態において絞り羽根環の内縁部のみにより開放状態よりわずかに絞られた状態において主として根元内縁部１３ａにより、及び絞り込み状態より絞られた状態において主として先端内縁部１３ｂにより、形成されている。
【０００６】
また、特許文献３に開示された第４従来例には、協働して絞り開口を形成する複数の絞り羽根を有する撮影レンズ用絞り装置が開示されている。絞り羽根の絞り開口の形成に関与する内縁部が、絞り羽根の回動軸に近い根元内縁部、遠い先端内縁部、及び両者の中間にある中間内縁部の３部分より構成されている。根元内縁部及び先端内縁部は、撮影レンズの光軸を中心とし、開放絞りの半径又はそれに近似した所定の半径をもつ円弧から構成される。中間内縁部は根元内縁部の端点を通る半径がそれぞれ異なる複数の円に沿う複数の円弧から構成される。この各円弧の半径は、開放絞り径から最小絞り径までの間の半径であり、先端内縁部側から根元内縁部側に向かって順次小さくなるように設定される。それとともに、各円弧の根元内縁部の端点から各円弧の先端内縁部寄りの円弧との交点までのいずれの内角も先端内縁部側から根元内縁部側に向かって順次小さくなるように設定される。各円弧のいずれの中心も、絞り羽根の回動軸を中心として光軸を通る円周上またはその近傍に位置する。絞り開口は、開放状態及び開放状態より僅かに絞られた状態では、主として絞り羽根の先端内縁部により形成される。そして、開放状態より僅かに絞られた状態よりも更に絞られた状態では、絞り開口は中間内縁部により形成される。
【特許文献１】特開昭６３−８６３８号公報
【特許文献２】特開平５−１１３０６号公報
【特許文献３】特開２００２−９９０２２号公報
【発明の開示】
【発明が解決しようとする課題】
【０００７】
図１２に示す第１従来例では、開放絞り状態においては、各絞り羽根１１の根元内縁部１１ａが絞り開口と同一円周上に位置することから絞り開口が真円になる。しかし、絞り込むに従い、真円は崩れてくる。開放絞り状態から絞り値で１段絞り込むまでの間は、絞り開口形状は円弧状の根元内縁部１１ａと該根元内縁部１１ａの接線である先端内縁部１１ｂとを１辺とするややふくらみのある多角形に近い形状となる。更に絞り込むと、絞り開口形状は円弧状の根元内縁部１１ａを１辺とする多角形となる。
【０００８】
図１３に示す第２従来例では、開放絞り状態においては、各絞り羽根１２の根元内縁部１２ａが絞り開口と同一円周上に位置することから絞り開口が真円形になるが、絞り込むに従い、真円形は崩れてくる。１段以上絞り込んだ時には、第１従来例と比較して、絞り開口形状が真円形により近くなっている。しかし、１段以上絞り込んだときも開口部を円形に近づけるために次第に小さくなった開口の半径に合わせて先端内縁部１２ｂが凹形状になっている。また、先端内縁部１２ｂと根元内縁部１２ａを接続する中間内縁部１２ｃが開口内縁部の外側へ中心を持つ円弧で形成されている。そのため、僅かに絞られた開放に近いところから１段絞り込むまでの間では、第１従来例より第２従来例の絞り羽根の方が内縁側へ凸形状となってゴツゴツした形状の多角形となっていた。
【０００９】
ポートレート撮影のようなボケ味を生かした撮影をするとき、撮影者のイメージ通りのボケを得る為に、開放に近い絞り状態で撮影することが多い。
【００１０】
したがって、第１従来例では、僅かに絞った状態で既に絞り開口ははっきりした多角形状となり、バックのボケに絞り開口の多角形形状がくっきりと写り、バックのボケ全体が多角形像の影響で角張った感じのものとなっていた。
【００１１】
同じく第２従来例でも、僅かに絞った状態で絞り開口がゴツゴツした多角形状となり、バックのボケに絞り開口の多角形形状がくっきりと写り、バックのボケ全体が多角形像の影響で角張った感じのものとなる。さらに、内縁側へ凸形状（中間内縁部１２ｃ）がある為にその部分の反射光が強調されてしまい、撮影者のイメージ通りの美しいボケ味を得ることができないという問題もある。夕景、夜景撮影を目的として設計された大口径レンズによる夜景撮影においても、露出の関係上開放絞りに近い状態で撮影することが多い。その結果、僅かに絞った状態で絞り開口はくっきりした多角形となり、ライト等の点光源が多角形形状に写り、全体が多角形像の影響で角張った感じのものとなっていた。このように内縁側へ凸形状がある為にその部分の反射光が強調されてしまい、やはり撮影者のイメージ通りの写真を得ることができないものであった。
【００１２】
また、第２従来例では、絞り開口を真円形に近づけるために絞り羽根の枚数を増すことは各絞り羽根を重ね合わせる機構上、作動時における絞り羽根同士の摺接に起因した絞り羽根の損傷や摩耗が発生し易いという問題が生じ、困難である。カメラレンズに使用される絞りの一形式においては、絞り羽根が絞り開口部の光軸を中心として複数個配置され、絞り羽根を枢動回転させることにより光量を変更するようになっている。絞り羽根の内縁部が協動して形成した形状は一般には真円に近いことが望ましい。特にポートレート撮影においては主被写体周辺のボケ味の良さが重要であり、絞りの開口部が真円又は真円に近くないとボケ味の良い写真が得られない。さらに、開放ＦナンバーがＦ１．４のような明るいレンズでは開放付近より中間段を常用することが多く、その為に２段目、３段目といった絞り位置での円形度が求められていた。
【００１３】
第３従来例では、開放から１段付近までの近似真円形状までが限度である。また、絞り羽根の枚数を減らすことで円形の度合いが極端に減少する。
【００１４】
また、上記第１〜第３従来例では、開放から小絞りに至るいずれかの時点で光軸を中心とする円に一致する円弧を用いているので、ある特定段数に真円度が集中して、幅広く真円度を平均化できない。また、第１従来例では、開放付近が最大で、第２及び第３従来例では、１段目付近が最大で、小絞りに向かって順次、急激に円形度が低下する。
【００１５】
また、第２従来例では、開放から１段目の間の円形度はさほど低下はしないものの、光軸側に凸となる円弧を用いているので、うねりのあるゴツゴツした形状となって好ましくない。
【００１６】
また、第３従来例では、開放から１段目付近に向かって口径形状を構成する羽根の主要部位が先端へ移動するところまでしか対応できていない。さらに、羽根枚数を減らすと１段目から２段目、３段目へ向かっては主要構成部位が中間部へ移り、さらに小絞りへ向かっては開口形状の主要構成部位が中間部から根元部へ移ってくる。よって、第３従来例でも、１段目から２段目、３段目に向かっての真円度を維持することが困難である。
【００１７】
また、第４従来例では、開放径以下の半径を用い、中間内縁部の構成円弧が根元内縁部側から先端内縁部に向かって順次大きくなる円弧群によって構成されている。しかし、この円弧群の境界部は光軸に向かって凸となるため、凸状の内縁部によって集中（強調）された反射光が問題となる。また、形状的にも、極端に言えば（複数の円弧の構成数を減らしていくと）花びら状になって好ましくない。
【００１８】
（発明の目的）
本発明の目的は、羽根部材の枚数を増やすことなく、開放した開口状態から任意の開口状態までの範囲で、その開口形状を真円形に近い形状にすることのできる光量調節装置、レンズ装置および撮像装置を提供しようとするものである。
【課題を解決するための手段】
【００１９】
上記目的を達成するために、本発明は、複数の羽根部材を有し、前記複数の羽根部材を回動させて光束を通過させる開口の大きさを変化させる光量調節装置において、前記複数の羽根部材の、前記開口の形成に関与する円弧状の内縁部は、前記羽根部材の回動軸に近い根元内縁部、前記回転軸から遠い先端内縁部、両者の中間にある中間内縁部、前記先端内縁部から絞り開口の形成に関与しない内縁部へ接続される先端境界内縁部、および、前記根元内縁部から絞り開口の形成に関与しない内縁部へ接続される根元境界内縁部により形成された光量調節装置とするものである。
【００２０】
同じく上記目的を達成するために、本発明は、本発明の上記光量調節装置を具備するレンズ装置とするものである。
【００２１】
同じく上記目的を達成するために、本発明は、本発明の上記光量調節装置を具備する撮像装置とするものである。
【発明の効果】
【００２２】
本発明によれば、羽根部材の枚数を増やすことなく、開放した開口状態から任意の開口状態までの範囲で、その開口形状を真円形に近い形状にすることができる光量調節装置、レンズ装置または撮像装置を提供できるものである。
【発明を実施するための最良の形態】
【００２３】
本発明を実施するための最良の形態は、以下の実施例１ないし５に示す通りである。
【実施例１】
【００２４】
図１〜図４を用いて、本発明の実施例１に係わるカメラ用レンズ鏡筒及びに該レンズ鏡筒に具備される絞り装置について説明する。図１は本発明の実施例１に係わるレンズ鏡筒の光軸方向の断面図である。図２は図１のレンズ鏡筒に具備される絞り装置の一部の絞り羽根の平面図、図３は同じく絞り装置において複数の絞り羽根のうちの１枚または２枚を抜粋して示す作動図である。図４は同じく絞り装置において全絞り羽根を９枚とした場合の各開口形状を示す作動図である。
【００２５】
先ず、本実施例１に係わるレンズ鏡筒及び絞り装置の概略構成について、図１により説明する。レンズ鏡筒は、レンズ群Ｅ１，Ｅ２を保持するレンズ保持筒１１２と、該レンズ保持筒１１２を内包し、かつ該レンズ保持筒１１２にヘリコイドネジによって係合している距離調節操作環１１１を有する。さらに、距離調節操作環１１１を内包し、該距離調節操作環１１１にヘリコイドネジによって係合し、不図示のカメラ本体へ装着するバヨネットマウント部を有する固定鏡筒１１０を有する。
【００２６】
レンズ保持筒１１２は固定鏡筒１１０に対し、直進キ−１１３によって直進は可能だが、回転は不可となっている。距離調節操作環１１１を外部より回動することにより、または不図示のモーター等の駆動源により回動することにより、レンズ群Ｅ１，Ｅ２は固定鏡筒１１０に対し、光軸Ｏ−Ｏ方向に直進移動させられ、距離調節が可能になっている。固定鏡筒１１０のカメラ本体側の外周部には、絞り操作環４が所定角度だけ回転自在に設けられている。
【００２７】
次に、絞り装置の構成について説明する。薄板である絞り羽根１は、該絞り羽根１を回転させるためのカム溝を有する羽根駆動環３と、絞り羽根１の回転中心のピン８を保持する絞り固定環２に挟まれて設けられている。そして、羽根駆動環３と絞り固定環２とが絞り羽根環を形成している。絞り操作環４を絞り設定のために回転させると、駆動力伝達部４ａを介してレバー５に一体的に設けられたピン７に伝達される。レバー５はピン６を中心として回転する。レバー５の係合部５ａと羽根駆動環３の係合部３ａとが係合しているので、レバー５の回転により羽根駆動環３が光軸Ｏ−Ｏ回りに回転し、それにより絞り羽根１が作動し、所定絞り径まで絞り込まれることになる。
【００２８】
一方、レバー５の係合部５ｂは、カメラ本体の絞り制御レバー（不図示）と係合していて、例えばカメラ本体側の制御によって電子的に決定された量だけ、カメラ本体の絞り制御レバーから力を受けて動かされる。それにより、ピン６を中心として駆動し、前述のように所定絞り径に設定される場合もある。本実施例１の絞り装置の機構に関する構成は、公知の技術であり、その詳述は省略する。
【００２９】
次に、上記絞り装置に用いられている絞り羽根１の形状について、図２により説明する。図２は上記したように絞り装置に具備される絞り羽根１の１枚を示した平面図である。
【００３０】
図２において、Ｏは光軸であり、絞り羽根１は光軸Ｏの周囲に構成枚数分だけ等分配置され、光軸Ｏからの配置位置が同等であり、全部同一形状である。Ｏ’は絞り羽根１の回転中心である。８及び９は絞り羽根１に一体的に設けられたピンである。ピン８及びピン９はそれぞれ絞り固定環２、羽根駆動環３に嵌合している。そして、ピン９が不図示のカム溝に沿って移動するに伴い、絞り羽根１はピン８を中心として駆動可能な構成になっている。Ｒ０は開放口径半径、Ｒ１は開放口径よりわずかに絞り込んだ真円形半径である。Ｒ２は開放口径よりおよそ３／８段絞り込んだＦナンバー真円形半径、Ｒ４は半径Ｒ２よりおよそ１段絞り込んだＦナンバー真円形半径である。Ｒ５は半径Ｒ２よりおよそ２段絞り込んだＦナンバー真円形半径、Ｒ３は半径Ｒ２とＲ４の中間の半径である。また、Ｒ１０は半径Ｒ０より大きな半径である。上記“開放口径よりわずかに絞り込んだ半径”とは、レンズ鏡筒側で設定、制御される最大分割段数（本実施例では１／８段）分、絞り込んだＦナンバー真円形半径と開放口径半径との中間の半径である。
【００３１】
絞り羽根１の絞り開口を形成する内縁部分は、大きく５つの部分に分けられる。
【００３２】
根元内縁部１ａは、開放口径よりわずかに絞り込んだ真円形半径Ｒ１（Ｒ１＜Ｒ０）の円弧である。詳しくは、半径Ｒ１の真円形の中心が軸Ｏ’を中心に光軸Ｏから図１のθ１だけ移動した位相における該半径Ｒ１の真円形の一部に一致する円弧である。
【００３３】
先端内縁部１ｂは、開放口径の半径Ｒ１より小さな半径Ｒ３（Ｒ３＜Ｒ１）の円弧と、半径Ｒ３より小さな半径Ｒ４の円弧を持つ。詳しくは、半径Ｒ３の真円形の中心が軸Ｏ’を中心に図２のθ３だけ移動した位相における該半径Ｒ３の真円形の一部に一致する円弧を持つ。また、半径Ｒ４の真円形の中心が軸Ｏ’を中心に図２のθ４だけ移動した位相における該半径Ｒ４の真円径の一部に一致する円弧を持つ。さらに、半径Ｒ３及び半径Ｒ４の円弧が接線により接続されて成る。
【００３４】
中間内縁部１ｃは、半径Ｒ４以下の半径Ｒ５（Ｒ５≦Ｒ４）の円弧であり、該半径Ｒ５の真円形の中心Ｏが軸Ｏ’を中心に図２のθ５だけ移動した位相における該半径Ｒ５の真円形の一部に一致する円弧を持つ。さらに、半径Ｒ５の円弧と半径Ｒ１の円弧とを結ぶ接線及び半径Ｒ５の円弧と前記Ｒ４の円弧とを結ぶ接線とで成る。
【００３５】
根元境界内縁部１ｄは、半径Ｒ１の円弧と開放口径半径Ｒ０の円弧との接線と、該接線から図２に示す開放口径半径Ｒ０より大きな半径Ｒ１０の円弧へ接続される滑らかな接線（直線または円弧等）とで成る。
【００３６】
半径Ｒ１０の円弧の中心と開放口径の円の中心は一致していて、半径Ｒ１０の円弧は絞り羽根１の根元側円弧部１ｆに接続されている。先端境界内縁部１ｅは半径Ｒ３の円弧と半径Ｒ１０の円弧との接線が絞り羽根１の先端部で円弧１ｇに接続されて成る。半径Ｒ１，Ｒ３，Ｒ４，Ｒ５，Ｒ１０の各円弧は、絞り開口形成用内縁の内側に中心が位置する円弧形状に形成されている。
【００３７】
絞り羽根１の根元境界内縁部１ｄの根元側には、絞り開口には寄与しない根元側円弧部１ｆが形成されている。根元境界内縁部１ｄと根元側円弧部１ｆの接続部は、光軸Ｏと軸Ｏ’を結んだ線より羽根先端側に形成されている。また、絞り羽根１の先端境界内縁部１ｅの先端側には、絞り開口には寄与しない円弧部１ｇが形成されている。
【００３８】
図３にて、９枚の絞り羽根１を使用してなる絞り装置について、絞り羽根１枚または２枚を抜粋して説明する。
【００３９】
図３（ａ）の第１状態は、開放口径よりわずかに絞り込んだＦナンバーの真円形面積と同等となるように、絞り羽根１を作動させた場合の絞り羽根１を２枚抜粋して示している。図３（ｂ）の第２状態は、開放状態における絞り開口のＦナンバーと第１状態のＦナンバーとの差分段数分を絞り込んだ状態であり、本実施例１では、開放Ｆナンバーよりほぼ３／８段絞った状態である。図３（ｄ）の第４状態は、第２状態から１段絞った状態である。図３（ｃ）の第３状態は、第２状態と第４状態のＦナンバー段数差分のほぼ１／３段を第２状態より絞り込んだ状態である。図３（ｅ）の第５状態は、第２状態から２段絞った状態である。
【００４０】
上記第１状態から第５状態まで順次切り換えられることで、絞りは徐々に絞り込まれることになる。つまり、先ず、開放状態のＦナンバーから任意に絞った第１状態から開放状態のＦナンバーと第１状態のＦナンバーとの差分段数分を絞り込んだ第２状態となる。次に、第２状態から任意に絞り込んだ第３状態となり、さらに第３状態から、第１状態のＦナンバーと第３状態のＦナンバーとの差分段数分を絞り込んだ第４状態となる。次いで、第４状態から第２状態のＦナンバーと第４状態のＦナンバーの差分段数分を絞り込んだ第５状態となる。実施例１では、仮に、第２状態を開放から３／８段、第４状態を開放から１＋３／８段、第５状態を開放から２＋３／８段それぞれ絞った設定にしたものである。図２に示した半径Ｒ１，Ｒ２，Ｒ３，Ｒ４，Ｒ５の各円弧は、それぞれ第１状態、第２状態、第３状態、第４状態、第５状態のＦナンバー真円形半径と同値に設定している。
【００４１】
絞り開口形状は、開放状態において、図２に示す絞り羽根１の位置より上方に、後述の図４に示す絞り固定環３に形成された半径Ｒ０の真円径形状の内縁部のみにより開口を形成している。開放状態の開口である半径Ｒ０の真円径形状の内縁部は羽根駆動環２に設けても良い。
【００４２】
開放絞り状態から徐々に絞り込んでいくと、図３（ａ）の第１状態になる。この際、絞り羽根１の中間内縁部１ｃ、根元内縁部１ａ、根元境界内縁部１ｄ、先端内縁部１ｂ、先端境界内縁部１ｅと、別の絞り羽根１’の根元内縁部１ａ、根元境界内縁部１ｄが絞り開口に関与してくる。この状態では、中間内縁部１ｃの円弧部よりも別の絞り羽根１’の根元内縁部１ａ、根元境界内縁部１ｄが内側にある。したがって、絞り開口は、絞り羽根１の中間内縁部１ｃ、根元内縁部１ａ、根元境界内縁部１ｄ、先端内縁部１ｂ、先端境界内縁部１ｅの５つの内縁部によって主に構成される。よって、極めて円形に近い開口形状が形成されることになる。
【００４３】
図３（ａ）の第１状態から絞り込んだ第２状態（図３（ｂ）参照）では、絞り羽根１の中間内縁部１ｃと先端内縁部１ｂ、先端境界内縁部１ｅが絞り開口に関与して円形に近い開口形状が形成されている。第２状態から絞り込んだ第３状態（図３（ｃ）参照）では、絞り羽根１の中間内縁部１ｃと先端内縁部１ｂ、先端境界内縁部１ｅが絞り開口に関与して円形に近い開口形状が形成されている。第３状態から絞り込んだ第４状態（図３（ｄ）参照）では、絞り羽根１の中間内縁部１ｃと先端内縁部１ｂ、先端境界内縁部１ｅが絞り開口に関与しているが、先端境界内縁部１ｅの関与範囲が第３状態より減少している。第４状態から絞り込んだ第５状態（図３（ｅ）参照）では、絞り羽根１の中間内縁部１ｃ、先端内縁部１ｂ、根元内縁部１ａが絞り開口に関与しており、絞り開口に関与する範囲が次第に第４状態より根元側へ移動している。第５状態から絞り込んだ小絞り状態では、絞り羽根１の中間内縁部１ｃ、根元内縁部１ａが絞り開口に関与していて、さらに絞り込むに従って開口に関与する中間内縁部の範囲が次第に減少する。
【００４４】
上述したように、第１状態、第２状態、第３状態、第４状態、第５状態、小絞り状態においては、絞り開口形成における１枚の絞り羽根１が受け持つ内縁部は、開放状態から第２状態の間においては、主として、先端境界内縁部１ｅ、先端内縁部１ｂ、中間内縁部１ｃ、根元内縁部１ａ、根元境界内縁部１ｄにより絞り開口形状を形成している。第２状態から第３状態及び第４状態においては、主として、先端境界内縁部１ｅ、先端内縁部１ｂ、中間内縁部１ｃにより絞り開口形状を形成している。第４状態から第５状態においては、主として、先端内縁部１ｂ、中間内縁部１ｃ、根元内縁部１ａにより絞り開口形状を形成している。第５状態から小絞り状態において、主として、中間内縁部１ｃ、根元内縁部１ａにより絞り開口形状を形成している。
【００４５】
以上のように、絞り開口の形成に関与する内縁部は、開放付近から小絞りに向かって順次前記５つの部分全体から範囲を狭めながら先端内縁部側より根元内縁部側へ変化するように構成されている。
【００４６】
従来の開放付近で主に開口形成に関与する形成縁であった根元内縁部、根元境界内縁部の寄与率を減らし、絞り羽根の先端部を従来よりも延長して、先端内縁部１ｂ、先端境界内縁部１ｅを開放付近で開口形成に関与できる位置に形成することによって、本実施例の構成をとることができる。
【００４７】
絞り開口形状は開放から小絞りに至るまで中間内縁部１ｃを含む形成縁で形成され、Ｒ５＜Ｒ４＜Ｒ３＜Ｒ２＜Ｒ１の関係の通り、中間内縁部１ｃから先端境界内縁部１ｅへ向かう弧状線分群は、中間内縁部１ｃの円弧半径の曲率以上の線分群で構成される。同じく、中間内縁部１ｃから根元境界内縁部１ｄへ向かう弧状線分群も、中間内縁部１ｃの円弧半径の曲率以上の線分群で構成される。
【００４８】
図４は、図１に示した絞り羽根１を光軸Ｏの回りに９枚配置して作動状態を示したものである。図４（ａ）は開放絞り状態を、図４（ｂ）は３／８段絞り込んだ第２状態を、図４（ｃ）は１＋３／８段絞り込んだ第４状態を、図４（ｄ）は２＋３／８段絞り込んだ第５状態を、それぞれ示す。開放絞り状態では、絞り開口は絞り環を形成する絞り固定環２または絞り羽根操作環３の何れか小さい方の内側開口部によって決定され、その半径Ｒ０の真円形になる。この時、各々の絞り羽根１は円弧部１ｆが開放開口より外側に位置するようになっている。
【実施例２】
【００４９】
図５は、本発明の実施例２に係わる絞り装置に具備される複数の絞り羽根のうちの１枚を示した平面図である。絞り羽根の内縁部以外は、図２と同一であるのでその詳細は省略する。
【００５０】
本実施例２の絞り羽根２１の内縁部は、根元境界内縁部２１ｄ、根元内縁部２１ａ、中間内縁部２１ｃ、先端内縁部２１ｂ、先端境界内縁部２１ｅ及び円弧部２１ｆを有する。この絞り羽根２１の絞り開口を形成する部分は、実施例１の中間内縁部１ｃにおける半径Ｒ５の円弧中心が角度αずれていることのみ絞り羽根１と異なる。この角度αは半径Ｒ５の円弧を開口の外側へ突き出す方向である。
【実施例３】
【００５１】
図６は、本発明の実施例３に係わる絞り装置に具備される複数の絞り羽根のうちの１枚を示した平面図である。絞り羽根の内縁部以外は、図２と同一であるのでその詳細は省略する。
【００５２】
本実施例３の絞り羽根３１の内縁部は、根元境界内縁部３１ｄ、根元内縁部３１ａ、中間内縁部３１ｃ、先端内縁部３１ｂ、先端境界内縁部３１ｅ及び円弧部３１ｆを有する。この絞り羽根３１の絞り開口を形成する部分は、実施例１の中間内縁部における半径Ｒ５の円弧中心が角度βずれていることのみ絞り羽根１と異なる。この角度βはＲ５の円弧を開口の内側へ寄せる方向である。
【実施例４】
【００５３】
図７は、本発明の実施例４に係わる絞り装置に具備される複数の絞り羽根のうちの１枚を示した平面図である。絞り羽根の内縁部以外は、図２と同一であるのでその詳細は省略する。
【００５４】
本実施例４の絞り羽根４１の内縁部は、根元境界内縁部４１ｄ、根元内縁部４１ａ、中間内縁部４１ｃ、先端内縁部４１ｂ、先端境界内縁部４１ｅ及び円弧部４１ｆを有する。この絞り羽根４１の絞り開口を形成する部分は、実施例１の中間内縁部における半径Ｒ５の円弧中心が角度γずれている。さらに、先端内縁部４１ｂを構成する半径Ｒ３の円弧を半径Ｒ１０へ、半径Ｒ４の円弧を半径Ｒ６へ変更している。さらに、根元内縁部４１ａの半径Ｒ１の円弧の中心を軸Ｏまわりの反時計方向に角度δずらした点を半径Ｒ６の円弧中心とし、Ｒ６＝Ｒ１としている。以上の各点が実施例１の絞り羽根１と異なる。
【００５５】
上記の角度γは任意だが、本実施例４では、θ５の１％の値、角度δは羽根構成枚数をＮとして、（３６０°／Ｎ）＊（１／２）とし、９枚では２０°としている。さらに、先端境界内縁部４１ｅは開放状態における絞り開口の真円径半径以上である。そして、中心が開放状態における絞り開口の真円形の中心と一致する半径Ｒ１０と先端内縁部４１ｂの半径Ｒ１０の円弧とをつなぐ接線（事実上は点であるので、任意の角度で引き出した接線）で構成している。
【実施例５】
【００５６】
図８は、本発明の実施例５に係わる絞り装置に具備される複数の絞り羽根のうちの１枚を示した平面図である。絞り羽根の内縁部以外は、図２と同一であるのでその詳細は省略する。
【００５７】
本実施例５の絞り羽根５１の内縁部は、根元境界内縁部５１ｄ、根元内縁部５１ａ、中間内縁部５１ｃ、先端内縁部５１ｂ、先端境界内縁部５１ｅ及び円弧部５１ｆを有する。この絞り羽根５１の絞り開口を形成する部分は、実施例１の中間内縁部１ｃにおける半径Ｒ５の円弧中心が角度κずれている。さらに、先端内縁部５１ｂを構成する半径Ｒ３の円弧と半径Ｒ４の円弧を半径Ｒ６へ統合し、先端内縁部５１ｂの半径Ｒ６の円弧中心を根元内縁部５１ａのＲ１の円弧中心と一致させ、Ｒ６＝Ｒ１に設定している。さらに、先端境界内縁部５１ｅは開放状態における絞り開口の真円径半径以上である。さらに、中心が開放状態における絞り開口の真円径の中心と一致する半径Ｒ１２の円弧と先端内縁部５１ｂの半径Ｒ６の円弧とをつなぐ接線で構成している。以上の各点が実施例１の絞り羽根１と異なる。
【００５８】
開口形状の円形度を判断する尺度として
円形度ｋ＝１００×（開口形状内接円の直径／開口形状外接円の直径)２
の計算式を用いた場合、円形度ｋ＝１００のとき、真円となる。この円形度が１００に近い程、真円に近いということである。
【００５９】
図９（１ａ）に実施例１の絞り羽根１を９枚とした場合の、図９（１ｂ）に同じく絞り羽根１を７枚とした場合の、それぞれ第２状態、第４状態、第５状態の開口形状を示している。なお、図中の数字は上記の式により計算した円形度ｋを示している。また、図９（２ａ）に実施例２の絞り羽根２１を９枚とした場合の、図９（２ｂ）に同じく絞り羽根２１を７枚とした場合の、それぞれ第２状態、第４状態、第５状態の開口形状を示している。また、図９（３ａ）に実施例３の絞り羽根３１を９枚とした場合の、図９（３ｂ）に同じく絞り羽根３１を７枚とした場合の、それぞれ第２状態、第４状態、第５状態の開口形状を示している。また、図９（４ａ）に実施例４の絞り羽根４１を９枚とした場合の、図９（４ｂ）に絞り羽根４１を７枚とした場合の、それぞれ第２状態、第４状態、第５状態の開口形状を示している。また、図９（５ａ）に実施例５の絞り羽根５１を９枚とした場合の、図９（５ｂ）に絞り羽根５１を７枚とした場合の、それぞれ第２状態、第４状態、第５状態の開口形状を示している。図９の関係をまとめると、図１０（ａ）のようになる。
【００６０】
また、図１１は、第１従来例ないし第３従来例において、絞り羽根を９枚、７枚とした場合の、第２状態、第４状態、第５状態の開口形状をそれぞれ示す図である。そして、図１１（１ａ）が第１従来例の絞り羽根を９枚とした場合の第２状態、第４状態、第５状態の開口形状である。また、図１１（２ａ）が第２従来例の絞り羽根を９枚とした場合の、図１１（２ｂ）が同じく絞り羽根を７枚とした場合の、それぞれ第２状態、第４状態、第５状態の開口形状である。また、図１１（３ａ）が第３従来例の絞り羽根を９枚とした場合の、図１１（３ｂ）が同じく絞り羽根を７枚とした場合の、それぞれ第２状態、第４状態、第５状態の開口形状である。図１１の関係をまとめると、図１０（ｂ）のようになる。
【００６１】
図１０（ａ）に示すように、実施例１では、９枚の絞り羽根１を用いて円形度ｋの最大値が１段目付近になるように設定している。実施例２では、９枚の絞り羽根２１を用いて円形度ｋの最大値が２段目付近になるように設定している。実施例３では、９枚の絞り羽根３１を用いて円形度ｋの最大値が開放から１段目付近になるように設定している。実施例４では、９枚の絞り羽根４１を用いて円形度ｋを開放から２段目付近においておよそ均等となるように設定している。また、実施例５では、７枚の絞り羽根を用いて円形度ｋを開放から２段目付近においておよそ均等となるように設定している。
【００６２】
ここで、上記実施例１ないし実施例５における絞り羽根と、従来の絞り羽根との差異について、上記第１〜第３従来技術との比較により詳述する。
【００６３】
第１ないし第３従来例に共通することは、およそ開放から１段目付近まで真円形に近似することができる。つまり、開放径近傍から小絞りに至るいずれかの口径真円形の位相で近似された真円形の半径で開口形成縁を形成（第１、第２従来例）する。あるいは、開放径近傍から小絞りに至るいずれかの口径真円形の位相で近似された真円径の半径に沿うように直線群で近似する（第３従来例）。
【００６４】
しかしながら、２段目、３段目付近までの各従来例による設定を行うと、開放付近で主に根元内縁部を使用し、２段目付近のＦナンバー口径半径を用いて先端内縁部を構成すると、開放付近での円形度が急激に悪化する。
【００６５】
これに対し、本発明の各実施例、例えば実施例１を例にすると、２段目付近のＦナンバー口径半径を中間内縁部１ｃに設定し、中間内縁部１ｃから先端内縁部１ｂと根元内縁部１ａへ向かう内縁部を形成する円弧群を中間内縁部１ｃより離れるに従って、該中間内縁部１ｃの半径より大きくなるように設定している。
【００６６】
詳しくは、先端内縁部１ｂより先端側に先端境界内縁部１ｅを設けて延長し、根元内縁部１ａより根元側に根元境界内縁部１ｄを延長している。そして、先端境界内縁部１ｅ及び根元境界内縁部１ｄを、先端内縁部１ｂ及び根元内縁部１ａを構成する最大の半径を有する円弧から該円弧以上の半径としている。さらに、内縁部より光軸Ｏ側へ中心を有する円弧へ接続される接線（接線は接続される円弧の曲率以上の円弧であって、その曲率中心は内縁部より光軸側に位置する円弧であり、曲率半径無限大は直線となる）で構成している。
【００６７】
従来例では、目標のＦナンバー開口真円形半径に対し、開放から目標のＦナンバー開口径に至る過程で開口形成の主力内縁部が根元内縁部から先端内縁部へ変遷する。これにより、先端内縁部の構成円弧に２段目、３段目の開口真円形の小さな半径を設定することとなっていた。よって、開放付近の大きな半径の円弧群で構成される開口形状に該小さな半径の円弧が開口縁の形成に関与し、開放付近の形状がゴツゴツしたり、楔状の形状が形成されたりして好ましくないものであった。
【００６８】
これに対し、本発明の各実施例では、上記のように開放付近の形状を好ましいものにするため（真円に近づけるため）に、開口形成縁を先端側と根元側に延長している。そして、開放付近で小さな半径の円弧部が開口形状形成に関わる位置において、隣り合う別の絞り羽根の先端側または根元側に延長された大きな曲率の形成縁が小さな半径の円弧部を覆って補間し、楔状の形状が発生しないように構成している。
【００６９】
また、従来例では殆どが９枚以上の多枚の絞り羽根を使用する場合に有効であるが、絞り羽根の構成枚数を減らし、２段目、３段目付近の中間絞りまで円形に近似しようとすると、開放付近の形状がくずれてしまい、弊害が生じていた。
【００７０】
本発明の各実施例では、上記の内縁部を有する絞り羽根とすることにより、絞り羽根の構成枚数を減らしても、開放付近における形状を改善した構成とすることが可能となった。
【００７１】
さらに詳しく、本発明の各実施例における効果について説明する。図１５において明らかなように、本実施例では、絞り羽根の先端側の長さを従来に比べて長くしている。従来例では、開放から１段目付近までの開放側の円形度を改善することを目的とし、絞り羽根の枚数を９枚使用しているので、１枚あたりの長さを長くとる必要がない。または、多い羽根枚数を前提にしていることから、先端側を長くすることは羽根の慣性を大きくし、不利になっていた。例えば従来例の絞り羽根を７枚とすると、２段目付近から小絞り方向において円形度は極端に悪化する。これは多い枚数で構成されているからで、枚数を減らして円形度を維持する手段が不足している為である。一般的に絞り羽根の枚数を減らしていくと円形度のピークが開放側へ寄っていく。但し、開放付近の円形度が絞り羽根を９枚使用の時と７枚使用の時と同等であって、１段目、２段目の円形度が急激に悪化する為である。図１５に示す従来例の絞り羽根１１，１２，１３の長さは、絞り羽根を７枚使用時に開放付近の円形度を改善する為に、先端部を延長して開放付近で口径形状形成に寄与させるという内容を付加した形状であるが、それでも実施例１における絞り羽根１よりも短い。
【００７２】
本発明の例えば実施例５では、絞り羽根を９枚使用の円形度を開放から２段目付近まで均等化する絞り羽根を使用することによって、羽根枚数を減らす（羽根７枚とする）ことができるようにしている。開放から１段の間で絞り込んだ時に、９枚の絞り羽根を使用すれば、従来例でも、所望の円形度を得られる。しかし、図１０（ａ）と図１０（ｂ）を用いて比べればわかるように、従来例では、円形度が急激に悪化し、本実施例の絞り羽根を用いれば、枚数を７枚にしても２段目付近の円形度の悪化が緩和される。例えば、第２従来例と第３従来例を用いた絞り羽根９枚の例では、確かに１段目付近は最高値をマークしている。しかし、７枚を用いたものでは１．９ポイント悪化する。それに対し、本発明の実施例２を用いれば、絞り羽根９枚を、絞り羽根７枚へ変更した場合でも、１段目付近で０．７ポイントの悪化で済む。
【００７３】
最後に、上記の各実施例における効果について、以下にまとめて列挙する。
【００７４】
絞り羽根の絞り開口の形成に関与する内縁部は、開放状態における絞り開口の半径より小さな半径と開放状態における絞り開口の半径より大きな半径とを有する複数の円弧群を持ち、これらをつなぐ線分（最大は直線）で形成される。詳しくは、前記内縁部は、絞り羽根の回動の回転軸に近い根元内縁部、回転軸から遠い先端内縁部、両者の中間にある中間内縁部、絞り開口の形成に関与する内縁部から絞り開口の形成に関与しない内縁部への先端境界内縁部と根元境界内縁部の大略５部分から構成される。そして、絞り開口形状は開放から小絞りに至るまで中間内縁部を含む形成縁で形成され、中間内縁部から先端境界内縁部へ向かう弧状線分群は中間内縁部円弧半径の曲率以上の線分群で構成される。また、中間内縁部から根元境界内縁部へ向かう弧状線分群は中間内縁部円弧半径の曲率以上の線分群で構成される。そして、絞り開口の形成に関与する内縁部は、開放付近から小絞りに向かって順次前記５つの内縁部全体から範囲を狭めながら先端内縁部側から根元内縁部側へ変化するように構成して、絞り羽根の口径形成縁を形成している。
【００７５】
要するに、開放側での口径形成縁は羽根先端側と羽根根元側の形成縁を含んで形成し、小絞りに絞り込むに従って先端側と根元側の中間部で口径が形成されるように羽根の口径形成縁を形成している。
【００７６】
上記のように、開放絞り状態の絞り開口を真円形に、又絞り羽根における根元内縁部を、開放絞り状態の絞り開口の半径よりも僅かに絞り込んだ状態の半径に設定している。これにより、絞り込み状態においては、絞り開口が真円に近似する形に構成可能である。
【００７７】
また、開口の形成に関与する内縁部を開放側では全域を使用し、絞り込んでいくにつれて開口の形成に関与する内縁部が根元内縁部側へ変化するようにしている。これにより、開放付近での回転ガタによる開口形成に関与する内縁部の羽根位置のずれ量より、小絞り側へ移動するほど羽根の回転軸からの距離が減少し、小絞り側での回転ガタによる開口形成に関与する内縁部の羽根位置のズレ量を小さくできる。これは、従来技術による小絞りでの開口形成縁は羽根先端側を使用する方法と羽根回転軸からの距離は同等である。しかし、従来技術のように小絞りでの開口形成縁を羽根の先端側を使用する場合には、羽根の剛性が低く、羽根同士の競り合いによる撓み、あおり等によって開口形成縁の光軸方向の移動が大きくなる。これに対し、本実施例では、小絞りでの開口形成縁が根元側にあるので羽根の剛性が高く、羽根同士の競り合いによる撓み、あおり等を小さくできる。よって、光軸方向の移動量が減少し、競り合いの影響度が安定し、小絞りでの多角形の辺の長さが正多角形に近似されるので、口径形状（口径面積）が安定し口径精度が安定する。
【００７８】
また、内縁部を、複数の線と円弧により構成することにより、開放絞り状態より絞り込んだ範囲の絞り状態においては、絞り開口が真円に近似する多角形に構成可能である。また、絞り羽根の根元内縁部の半径を、開放絞り状態の絞り開口半径よりも小さく形成し、かつ根元内縁部から根元側になめらかに続く円弧部が、開放開口に接するように構成されている。これにより、絞り羽根の軽量化が図れ、これによって絞り羽根の慣性モーメントも小さくできるので、絞り込みタイムを速く出来るという効果もある。さらに、現状の絞り羽根装置においても、絞り羽根の形状を変更するだけで簡単に本実施例の絞り装置に変更する事ができ、絞り羽根自体も、プレス等により精度の良いものが簡単に出来るので、製造コストも大変安く、円形絞りを得ることができる。
【００７９】
つまり、絞り羽根枚数を少なくしても、中間絞り付近までの各絞り段階において円、又は極めて円に近い開口が得られ、小絞りにおける口径精度も安定したカメラレンズの絞り装置を提供可能となる。
【００８０】
また、先端境界内縁部と根元境界内縁部は、絞り開口の形成に関与する内縁部の端部の円弧と、開放状態における絞り開口の半径以上の半径を有する円弧に接する接線で構成される。根元内縁部は、開放状態における絞り開口の半径より僅かに絞った第１状態の真円形半径を有する円弧で構成される。先端内縁部は、開放状態における絞り開口のＦナンバーと第１状態のＦナンバーとの差分段数分を絞り込んだ第２状態から、任意に絞り込んだ第３状態のＦナンバーの開口真円形半径を有する円弧と、開放状態における絞り絞り開口のＦナンバーと第３状態のＦナンバーとの差分段数分を絞り込んだ第４状態のＦナンバーの開口真円形半径を有する円弧と、これらをつなぐ接線とで構成される。中間内縁部は、開放状態における絞り開口のＦナンバーと第４状態のＦナンバーとの差分段数分を絞り込んだ第５状態のＦナンバー開口真円径半径を有する円弧と、前記根元内縁部の円弧と前記先端内縁部複数円弧のうち最小半径の円弧とをつなぐ接線で構成される。そして、絞り開口形状は、開放状態においては、絞り羽根環の内縁部のみにより構成される。また、開放状態から第２状態の間においては、主として、先端境界内縁部、先端内縁部、中間内縁部、根元内縁部、根元境界内縁部により構成される。また、第２状態から第３、第４状態においては、主として、先端境界内縁部、先端内縁部、中間内縁部により構成される。また、第４状態から第５状態においては、主として、先端内縁部、中間内縁部、根元内縁部により構成される。第５状態から小絞り状態においては、主として、中間内縁部、根元内縁部により構成される。
【００８１】
これにより、開放から２段目付近まで各絞り段階において円、又は極めて円に近い開口が得られる。また、開放から２段目付近までの間で、特に真円度を高めたいＦナンバーがあれば、中間内縁部円弧の位相を、他の内縁部（先端側内縁部・根元側内縁部）の円弧に対して変化させて設定することで容易に求めるＦナンバー位置での口径形状の円形度を高めることができる。
【００８２】
また、先端境界内縁部と根元境界内縁部は絞り開口の形成に関与する内縁部の端部の円弧と、開放状態における絞り開口の半径以上の半径を有する円弧に接する接線で構成される。根元内縁部は、開放状態における絞り開口の半径より僅かに絞った第１状態の真円形半径を有する円弧で構成される。先端内縁部は、前記第１状態のＦナンバーの開口真円形半径を有する円弧で構成される。先端境界内縁部は、開放状態における絞り開口の真円形半径以上であり、中心が開放状態における絞り開口の真円形の中心と一致する円弧と先端内縁部の円弧とをつなぐ接線とで構成される。中間内縁部は、開放状態における絞り開口のＦナンバーと第１状態のＦナンバーとの差分段数分を絞り込んだ第２状態、該第２状態から任意に絞り込んだ第３状態、開放状態における絞り開口のＦナンバーと前記第３状態のＦナンバーとの差分段数分を絞り込んだ第４状態、開放状態における絞り開口のＦナンバーと第４状態のＦナンバーとの差分段数分を絞り込んだ第５状態のＦナンバー開口真円径半径を有する円弧と、根元内縁部の円弧と先端内縁部複数円弧のうち最小半径の円弧とをつなぐ接線で構成される。そして、絞り開口形状は、開放状態においては、絞り羽根環の内縁部のみにより構成される。また、開放状態から第２の状態の間においては、主として、先端境界内縁部、先端内縁部、中間内縁部、根元内縁部、根元境界内縁部により構成される。また、第２の状態から第３、第４の状態においては、主として、先端境界内縁部、先端内縁部、中間内縁部により構成される。また、第４の状態から第５の状態においては、主として、先端内縁部、中間内縁部により構成される。また、第５の状態から小絞り方向においては、主として、中間内縁部により構成される。
【００８３】
これにより、羽根枚数を少なくしても中間絞り付近までの各絞り段階において円、又は極めて円に近い開口が得られ、小絞りにおける口径精度も安定したカメラレンズの絞り装置を提供できる。また、開放から中間絞りまでの間で、特に真円度を高めたいＦナンバーがあれば、中間内縁部円弧の位相を、他の内縁部（先端側内縁部・根元側内縁部）の円弧に対して変化させて設定することで容易に求めるＦナンバー位置での口径形状の円形度を高めることができる。
【図面の簡単な説明】
【００８４】
【図１】本発明の実施例１に係わるレンズ鏡筒の光軸方向の断面図である。
【図２】本発明の実施例１に係わる絞り装置に具備される絞り羽根を示す平面図である。
【図３】本発明の実施例１において絞り羽根による１枚ないし２枚が受け持つ開口形成縁の変遷を示す作動図である。
【図４】本発明の実施例１において全絞り羽根を９枚とした場合の各開口形状を示す作動状態図である。
【図５】本発明の実施例２に係わる絞り装置に具備される絞り羽根を示す平面図である。
【図６】本発明の実施例３に係わる絞り装置に具備される絞り羽根を示す平面図である。
【図７】本発明の実施例４に係わる絞り装置に具備される絞り羽根を示す平面図である。
【図８】本発明の実施例５に係わる絞り装置に具備される絞り羽根を示す平面図である。
【図９】本発明の実施例１ないし実施例５の絞り装置において絞り羽根の枚数を異ならせた場合の各絞り開口形状を示す図である。
【図１０】本発明の実施例１ないし実施例５および第１従来技術ないし第３従来技術における絞り装置の絞り開口形状を数値により比較した図である。
【図１１】第１従来例ないし第３従来例の絞り装置における絞り開口形状を示す図である。
【図１２】第１従来技術の絞り羽根を示す平面図である。
【図１３】第２従来技術の絞り羽根を示す平面図である。
【図１４】第３従来技術の絞り羽根を示す平面図である。
【図１５】本発明の各実施例の絞り羽根と各従来技術の絞り羽根を重ねて比較した平面図である。
【符号の説明】
【００８５】
１，２１，３１，４１，５１            絞り羽根
１ａ，２１ａ，３１ａ，４１ａ，５１ａ  根元内縁部
１ｂ，２１ｂ，３１ｂ，４１ｂ，５１ｂ  先端内縁部
１ｃ，２１ｃ，３１ｃ，４１ｃ，５１ｃ  中間内縁部
１ｄ，２１ｄ，３１ｄ，４１ｄ，５１ｄ  根元境界内縁部
１ｅ，２１ｅ，３１ｅ，４１ｅ，５１ｅ  先端境界内縁部
１ｆ，２１ｆ，３１ｆ，４１ｆ，５１ｆ  根元円弧部
１ｇ，２１ｇ，３１ｇ，４１ｇ，５１ｇ  先端円弧部
２        絞り固定環
３        羽根駆動環
４        絞り操作環
【図１】
2007304419.tif 000003
【図２】
2007304419.tif 000004
【図３】
2007304419.tif 000005
【図４】
2007304419.tif 000006
【図５】
2007304419.tif 000007
【図６】
2007304419.tif 000008
【図７】
2007304419.tif 000009
【図８】
2007304419.tif 000010
【図９】
2007304419.tif 000011
【図１０】
2007304419.tif 000012
【図１１】
2007304419.tif 000013
【図１２】
2007304419.tif 000014
【図１３】
2007304419.tif 000015
【図１４】
2007304419.tif 000016
【図１５】
2007304419.tif 000017